(57)【特許請求の範囲】
【請求項１】
光源を有する光源部と、
光透過性を有する材料により細長形状に形成され、内部を進行する光を反射して外表面から外部に出光させる反射部を有する導光体と、
前記導光体の長手方向に延在し前記導光体に一体的に設けられた導電部と、
前記光源部及び前記導光体を、所定の軌道上で移動可能に、かつ前記軌道上で前記光源部と前記導光体とを当接させたときに前記光源からの光が前記導光体の端面から内部に入射するように保持する保持部と、
前記保持部側に取り付けられ前記導電部に接触する第１の接触子と、
前記光源部側に取り付けられ前記光源に電気的に接続すると共に前記導電部に接触する第２の接触子と、
を備え、
前記光源への電源供給が、前記第１の接触子と前記導電部と前記第２の接触子とを介して可能とされている発光装置。
【請求項２】
前記導電部は、光反射性を有していることを特徴とする請求項１に記載の発光装置。
【請求項３】
前記導光体の移動を規制する移動規制手段を有することを特徴とする請求項１または２に記載の発光装置。
【請求項４】
前記保持部は、当該発光装置を他の部材に取り付ける際に前記他の部材に当接させる取り付け面部を有していることを特徴とする請求項１〜３のいずれか１項に記載の発光装置。
【請求項５】
前記軌道は直線状であることを特徴とする請求項１〜４のいずれか１項に記載の発光装置。
【請求項６】
前記導光体の前記端面以外の面から外部に出射した光を再度前記導光体の内部に導入するよう反射する反射壁を有することを特徴とする請求項１〜５のいずれか１項に記載の発光装置。
【発明の詳細な説明】
【技術分野】
【０００１】
本発明は、発光装置に係り、特に、線状や細長形状の導光部を備えた発光装置に関する。
【背景技術】
【０００２】
線状や細長形状とされ光源からの光を導光して外部に出光する導光部を備えた発光装置は、例えば、階段の踏み板に取り付けられ、導光部の発光によって踏み板の先端位置を容易に把握できるようにして昇降時の安全性を高めたり、カーテンレールに沿って設けられ、導光部からの出光でカーテンの上方部を照明してインテリア性を高める、などの用途に好適である。
階段の踏み板に取り付けられる発光装置の例として特許文献１に記載されたもの（特許文献１では「照明装置」と称されている）がある。
【先行技術文献】
【特許文献】
【０００３】
【特許文献１】特開２００９−２８０９８９号公報
【発明の概要】
【発明が解決しようとする課題】
【０００４】
このように、線状や細長状の導光部を備えた従来の発光装置は、把握したい部材（把握対象物）に取り付けられてその位置を、導光部からの出光によって人に把握させたり、照明したい部材（照明対象物）を、導光部からの出光によって照明する用途に用いられる。
前者を例にとれば、線状の導光部の長さを、把握対象物の範囲（長手方向の長さ）にほぼ対応した長さとして、その把握対象物専用の発光装置とされていた。
さらに特許文献１においては、照明装置は階段用として製作され、階段の踏み板に埋め込まれて踏み板の位置を把握させるよう設置される階段専用の装置である。
【０００５】
この事例からわかるように、従来の発光装置は、発光の位置を変更したり、他の把握対象物又は照明対象物へ転用することは考慮されてなく、汎用性に富むものではなかった。
例えば、長手方向の発光範囲や発光位置が異なる把握対象物や照明対象物に対しては、それらの寸法に適合した別の装置を製作しなければならず、手間と費用が多く掛かってしまうという問題が生じる。
具体例としては、天井に発光装置を取り付けて壁に掛けられた絵画を照明する用途において、模様替えなどで幅の異なる絵画に交換したり、絵画を掛ける位置を変える場合に、天井の発光装置も、交換後の絵画の幅に適合したその絵画専用の装置に交換しなければならない。
【０００６】
そこで、本発明が解決しようとする課題は、細長形状（線状を含む）の導光部を備えていても、発光位置の変更、異なる把握対象物又は照明対象物への転用が容易で、高い汎用性を有する発光装置を提供することにある。
【課題を解決するための手段】
【０００７】
上記の課題を解決するために、本発明は次の構成を有する。
１）     光源(4a)を有する光源部(4)と、
光透過性を有する材料により細長形状に形成され、内部を進行する光を反射して外表面から外部に出光させる反射部(2k1〜2kn)を有する導光体(2)と、
前記導光体(2)の長手方向に延在し前記導光体(2)に一体的に設けられた導電部(7a,7b)と、
前記光源部(4)及び前記導光体(2)を、所定の軌道上で移動可能に、かつ前記軌道上で前記光源部(4)と前記導光体(2)とを当接させたときに前記光源(4a)からの光が前記導光体(2)の端面(2t2)から内部に入射するように保持する保持部(1)と、
前記保持部(1)側に取り付けられ前記導電部(7a,7b)に接触する第１の接触子(8sa,8sb)と、
前記光源部(4)側に取り付けられ前記光源(4a)に電気的に接続すると共に前記導電部(7a,7b)に接触する第２の接触子(4sa,4sb)と、を備え、
前記光源(4a)への電源供給が、前記第１の接触子(8sa,8sb)と前記導電部(7a,7b)と前記第２の接触子(4sa,4sb)とを介して可能とされている発光装置(51)である。
２）   光源(4Aa)を有する光源部(4A)と、
光透過性を有する材料により細長形状に形成され、内部を進行する光を反射して外表面から外部に出光させる反射部(2k1〜2kn)を有する導光体(2)と、
前記光源部(4A)及び前記導光体(2)を、所定の軌道上で移動可能に、かつ前記軌道上で前記光源部(4A)と前記導光体(2)とを当接させたときに前記光源(4a)からの光が前記導光体(2)の端面(2t2)から内部に入射するように保持する保持部(1A)と、
前記保持部(1A)の長手方向に延在し前記保持部(1A)に一体的に設けられた導電部(7Aa,7Ab)と、
前記光源部(4A)側に取り付けられ前記光源(4Aa)に電気的に接続すると共に前記導電部(7Aa,7Ab)に接触する接触子(4Asa,4Asb)と、を備え、
前記光源(4Aa)への電源供給が、前記導電部(7Aa,7Ab) と前記接触子(4Asa,4Asb)とを介して可能とされている発光装置(51A)である。
３）  前記導電部(7a,7b,7Aa,7Ab)は、光反射性を有していることを特徴とする１）又は２）に記載の発光装置(51,51A)である。
４）  前記導光体(2)の移動を規制する移動規制手段(3)を有することを特徴とする１）〜３）のいずれか一つに記載の発光装置(51,51A)である。
５）  前記保持部(1,1A)は、当該発光装置(51,51A)を他の部材に取り付ける際に前記他の部材に当接させる取り付け面部(1b1,1Ab1)を有していることを特徴とする１）〜４）のいずれか一つに記載の発光装置(51,51A)である。
６）  前記軌道は直線状であることを特徴とする１）〜５）のいずれか一つに記載の発光装置(51,51A)である。
７）  前記導光体(2)の前記端面(2t2)以外の面から外部に出射した光を再度前記導光体(2)の内部に導入するよう反射する反射壁(1as,1Aas)を有することを特徴とする１）〜６）のいずれか一つに記載の発光装置(51,51A)である。
【発明の効果】
【０００８】
本発明によれば、細長形状の導光部を備えていても、発光位置の変更、異なる把握対象物又は照明対象物への転用が容易で、高い汎用性を有する、という効果が得られる。
【図面の簡単な説明】
【０００９】
【図１】本発明の発光装置の実施例１を説明するための、一部を破断した平面図である。
【図２】本発明の発光装置の実施例１における保持部を説明するための平面図及び断面図である。
【図３】本発明の発光装置の実施例１を説明するための図１のＳ２−Ｓ２における縦断面図である。
【図４】本発明の発光装置の実施例１を説明するための図１のＳ３−Ｓ３における縦断面図である。
【図５】本発明の発光装置の実施例１を説明するための図１のＳ１１−Ｓ１１，Ｓ２２−Ｓ２２，Ｓ３３−Ｓ３３における各横断面図である。
【図６】本発明の発光装置の実施例１における導光部を説明するための第１の部位の斜視図である。
【図７】本発明の発光装置の実施例１における導光部を説明するための第２の部位の斜視図である。
【図８】本発明の発光装置の実施例１における光源部を説明するための斜視図である。
【図９】本発明の発光装置の実施例１における光源基板を説明するための斜視図である。
【図１０】本発明の発光装置の実施例１におけるカバーを説明するための斜視図である。
【図１１】本発明の発光装置の実施例１におけるストッパを説明するための斜視図である。
【図１２】本発明の発光装置の実施例１における給電部を説明するための斜視図である。
【図１３】本発明の発光装置の実施例１における発光状態を説明するための模式図である。
【図１４】本発明の発光装置の実施例１における変形例を説明するための断面図である。
【図１５】本発明の発光装置の実施例１における変形例を説明するための斜視図である。
【図１６】本発明の発光装置の実施例２を説明するための、一部を破断した平面図である。
【図１７】本発明の発光装置の実施例２における要部を説明するための斜視図である。
【図１８】本発明の発光装置の実施例２を説明するための横断面図である。
【図１９】本発明の発光装置の実施例２における変形例を説明するための横断面図である。
【図２０】本発明の発光装置の各実施例に適用される変形例における発光状態を説明するための模式図である。
【図２１】本発明の発光装置の各実施例に適用される他の変形例を説明するための横断面図である。
【発明を実施するための形態】
【００１０】
本発明の実施の形態を、好ましい実施例により図１〜図２１を用いて説明する。
＜実施例１＞
まず、図１〜図５を参照して、実施例１の発光装置５１について概略を説明する。発光装置５１は長尺であるため、図１においては中央部を破断し、一方の端部側を上段に、他方の端部側を下段に配置して示している。
発光装置５１は、断面形状において略Ｃ字状の係合部１ａ及び係合部１ａに連結しこの発光装置５１を対象物へ取り付けるための台座部１ｂを有するレール状の保持部１と、光透過性を有する細長の板状であって係合部１ａ内に係合して係合部１ａの延在方向（図１の左右方向）に移動可能な導光体２と、係合部１ａ内における導光体２の一方側（図１の左方側）に係合して係合部１ａの延在方向に移動可能なストッパ３と、光源４ａを有し係合部１ａ内における導光体２の他方側（図１の右方側）に係合して係合部１ａの延在方向に移動可能な光源部４と、を有して構成されている。
導光体２は、光源部４からの光を自身の形状に沿うように導く導光部であり、さらにその導いた光を外部に出光する出光機能も有する（詳細は後述する）。
【００１１】
ストッパ３と光源部４とは、係合部１ａの任意の位置でそれぞれ固定ねじＮＪ２，ＮＪ１により固定できるようになっている（詳細は後述する）。
また、導光体２は、内部を進行する光の一部を反射して外表面から外部に出射させる複数の切り込み部２ｋ１〜２ｋｎを有している（詳細は後述する）。
この構成により、導光体２を係合部１ａの延在方向における所望の位置に移動させ、その位置で一方端側への移動をストッパ３で規制し、他方端側への移動を光源部４で規制した状態で、光源部４の光源４ａからの光を導光体２の端面２ｔ２から内部に導入して導光体２の外表面から外部に出射させることができるようになっている。
給電機構ＫＤは、外部からこの発光装置５１に電気を供給する構造として設けられている。
【００１２】
以下、係合部１ａで案内される導光体２，ストッパ３，及び光源部４の移動軌跡を軌道と称する。図１に示す係合部１ａによる軌道は直線軌道である。
次に各部材について詳述する。
【００１３】
＜保持部１について＞
主に図２を参照して説明すると、保持部１は、例えば樹脂やアルミニウムの押出材で形成されている。
係合部１ａは、袋状ではなく、開口部としてスリット１ａ１が形成されている。
スリット１ａ１は、長手方向に沿って同じ幅Ｗ１で形成されている。
この幅は必ずしも同じ幅でなくてもよく、用途に応じ長手方向において部分的に拡大又は縮小させてもよい。
係合部１ａの内側面１ａｓは、後述する導光体２の側面２ｓから外部に出射した光を反射して再度導光体２内に導入させるため、良好に反射する反射面とされていることが望ましい。この場合、係合部１ａは、導光体２の側面２ｓに対向する反射面を有する反射壁を有する。
また、その内面は光沢面でもよく、反射が拡散して行われるように梨地面とされていてもよい。
【００１４】
保持部１を樹脂材で形成した場合は、係合部１ａの内面を二次加工無しで良好な反射面にすることは難しい。その場合、その内面に対し、良好な反射が行えるよう反射膜を形成してもよく、反射シート等の別部材を貼付などで取り付けてもよい。
台座部１ｂは、係合部１ａと共に保持部１の内部空間Ｖの一部を共有し、取り付け対象物に当接させるための取り付け面部１ｂ１を有する。取り付け面部１ｂ１の中央部には、長手方向に延在する凹部１ｂ３が形成されている。凹部１ｂ３の底面には、保持部１を対象物に固定するための雄ねじを通す取り付け孔１ｂ２と、長手方向に開口した長孔１ｂ４とが、それぞれ複数箇所形成されている。
【００１５】
＜導光体２について＞
図１，図３〜図５に示されるように、導光体２は細長形状に形成されており、光透過性を有している。ここで細長形状とは、幅に対して極端に長手が長い、実質線形状として認識されるものも含む。
導光体２は、係合部１ａに係合し係合部１ａの長手方向に、ほぼガタなく、滑らかに移動可能となる断面形状で形成されている。この滑らかさの程度は、自然落下する程度を含め、移動抵抗が生じても指で移動可能な程度であることが好ましい。
発光装置５１においては、導光体２は断面形状が矩形に形成されている。矩形は一例であって、導光体２の断面形状は矩形に限定されない。
【００１６】
導光体２の一方の表面２ａ（図１における手前側の面）に対向する裏面２ｒには、複数の切り込み部２ｋ１〜２ｋｎが形成されている。ここでは、個数をｎ（１以上の整数）とし、光源部４に近い側をｎ＝１として符号は連番で付与している。
図３，図４に示されるように、切り込み部２ｋ１〜２ｋｎは、その縦断面形状が略直角三角形となるような三角柱状に抉られた形状を呈している。
この切り込み部２ｋ１〜２ｋｎは、光源部４から導光体２の内部に導光された光ＬＴ１（主に図３，図４の右方から左方へ進行する光）を斜面２ｋｓで反射して表面２ａ側から光ＬＴ２として外部に放出するための反射部として機能する。
従って、斜辺の傾斜角度α（図３参照）は４５°〜６０°が好ましく、５０°〜５５°であるとさらに好ましい。
斜面２ｋｓで反射した光ＬＴ２が導光体２の表面２ａから外部に放出されると、その光の内、保持部１のスリット１ａ１の開口部分において放出された光がスリット１ａ１を通過して、概ね図５（ａ）の矢印ＤＲ２方向（取り付け面部１ｂ１に対して概ね直交する方向）に出射し、外部から視認される。すなわち、表面２ａは、外部から発光部として視認される面である。
従って、外部から視認される発光エリアは、長手方向が、主として切り込み部２ｋ１〜２ｋｎが形成された範囲となり、幅方向が、スリット１ａ１の幅Ｗ１の範囲となる。
【００１７】
導光体２は、例えば、光透過性を有する樹脂やガラスで形成されている。光透過性を有していれば、透けていても透けていなくてもよい。
樹脂例は、アクリル，ポリカーボネート（ＰＣ），ポリエチレンテレフタレート（ＰＥＴ），エポキシ，シリコンであり、特に、耐久性、加工性が良好なことから、アクリル，ＰＣ，ＰＥＴは好適である。
【００１８】
切り込み部２ｋ１〜２ｋｎの大きさ（幅や深さ）は、１番目からｎ番目まで同じであってもよいし、光源部４からの距離に応じて異ならせてもよい。表面２ａ側から外部に放出する光を長手方向でより均一化させる場合には、光源部４からの距離が遠い程、反射量が増加する形状にするとよい。具体的な方法としては、縦断面形状における斜辺の長さを増加させる、すなわち、斜面２ｋｓの面積を増加させる、などがある。
【００１９】
図６，図７を参照して導光体２について更に詳述する。
図６は、導光体２の一方の端面２ｔ１近傍を裏面２ｒ側から見た斜視図である。
導光体２の端面２ｔ１には、反射部材２ｂが設けられている。反射部材２ｂの例は、金属薄膜又は反射シートである。
反射部材２ｂは、光源部４から他方の端面２ｔ２を介して導光体２内に入射した光の内、切り込み部２ｋ１〜２ｋｎで反射せずに通過して端面２ｔ１に到達した光を、外部に出ないよう反射する。
【００２０】
図７は、導光体２の他方の端部近傍を裏面２ｒ側から見た斜視図である。
導光体２の他方の端部には凹部２ｃが形成されている。ここでは凹部２ｃの底面を端面２ｔ２とする。この凹部２ｃは、後述する光源部４の光源４ａの形状に対応して設けられており、凹部２ｃ内に光源４ａが入りこむように導光体２と光源部４との相対位置が決められている。
また、導光体２の外面における端面２ｔ２側の所定範囲ＡＲ１（図６のクロスハッチングの範囲であって表面２ａも含む）は、黒塗装が施されている。
この黒塗装は、導光体２内を延在方向に対して直交に近い方向で進行する光が外面から外部に出射して、高輝度部位として外部から認識されてしまうのを防止するために施されている。特に光源４ａ近傍はこの光が多いので、端面２ｔ２側の所定範囲に外面から外部に光が出て行かないように黒塗装する。
黒塗装の代替えとして、外面における該当する範囲に反射膜を設けてもよい。
【００２１】
図６，図７に示されるように、裏面２ｒには、切り込み部２ｋ１〜２ｋｎを間に挟むように長手方向に延在する一対の導電部７ａ，７ｂが設けられている。導電部７ａ，７ｂは、例えば、銅などの導電性金属の薄板片である。導電部７ａ，７ｂは、裏面２ｒ上に貼付又は接着により取り付けられている。この導電部７ａ，７ｂの取り付け方法及び形成方法は限定されない。
導電部７ａ，７ｂは、裏面２ｒに対して突出していなくてもよい。例えば、裏面２ｒに凹みを設け、その凹みに嵌め込んで裏面２ｒから突出させないように設けてもよい。
導電部７ａ，７ｂは、導光体２に対して後づけ固定するものに限らない。導光体２を射出成形で形成する場合には、いわゆるインサート成形により一体的に形成してもよい。
導電部７ａ，７ｂは、裏面２ｒに導電塗料を塗布することで形成してもよい。
なお、黒塗装が施されている所定範囲ＡＲ１には、導電部７ａ，７ｂも含まれている。
【００２２】
＜光源部４について＞
図１，図４，図８，図９を主に参照して光源部４について詳述する。
図８は、光源部４を図１における斜め左手前方から見下ろした斜視図である。
【００２３】
光源部４は、ベース４部ｂと、ベース部４ｂに取り付けられた発光基板４ｃと、を有して構成されている。発光基板４ｃは所謂フレキシブル基板である。
ベース部４ｂは、本体部４ｂｈと本体部４ｂｈの下部側において長手方向に延出した延出部４ｂｅとを有し、例えば樹脂やアルミニウムにより形成されている。ベース部４ｂは、保持部１の係合部１ａに係合してその延在方向に移動可能とされている。本体部４ｂｈには、雌ねじ４ｆａが形成されたねじプレート４ｆが取り付けられている。
【００２４】
図９に示されるように、発光基板４ｃは階段状に形成されており、本体部４ｂｈにおける上面及び端面と、延出部４ｂｅの上面と、に跨って取り付けられている。
発光基板４ｃにおける本体部４ｂｈの上面となる位置には、例えば抵抗などの電子部品４ｅが配置されている。また、本体部４ｂｈの端面となる位置には光源４ａが配置されている。また、延出部４ｂｅの上面となる位置には、銅の薄板からなる端子部４ｔａ，４ｔｂが設けられている。光源４ａは、例えばＬＥＤである。以下、光源４ａをＬＥＤ４ａとも称する。
端子部４ｔａ及び端子部４ｔｂは、それぞれ銅の薄板から切り起こされ可撓性を有する接触子４ｓａ，４ｓｂを備え、互いに電気的に独立して設けられている。発光基板４ｃ上で、端子部４ｔａ，４ｔｂと光源４ａと電子部品４ｅとは所定の配線パターンにより電気的に接続されている。
光源部４において、接触子４ｓａと接触子４ｓｂとの間に所定の電圧が印加されると、光源４ａが発光するようになっている。
光源部４及び導光体２が保持部１に係合した状態で、接触子４ｓａ,４ｓｂは、導電部７ａ,７ｂに対し付勢しつつ接触可能とされている。従って、接触子４ｓａ,４ｓｂが導電部７ａ,７ｂに接触した状態で、導電部７ａ，７ｂ間に所定の電圧を印加させることでＬＥＤ４ａを発光させることができる。
【００２５】
ベース４ｂの材料は限定されないが、ＬＥＤ４ａが発生する熱を良好に伝導して表面積の大きい保持部１へ逃がせるように、アルミニウムを代表とする熱伝導率の高い材料で形成されていることが好ましい。
【００２６】
ねじプレート４ｆにおける雌ねじ４ｆａには、固定ねじＮＪ１が螺合する。
光源部４が係合部１ａ内に係合した状態で固定ねじＮＪを締め付けると、固定ねじＮＪ１の先端が台座部１ｂを押しつけるので、光源部４は係合部１ａの所望の位置で固定される。
すなわち、光源部４は、導光体２の軌道上での移動を規制する移動規制手段であり、また、導光体２を軌道上の所望の位置で固定する固定手段でもある。
【００２７】
発光基板４ｃは、ベース部４ｂに対し接着等で取り付けられる。
ＬＥＤ４ａは、導光体２と光源部４とを当接させた際に導光体２の端面２ｔ２と対向する位置にある。
また、端面２ｔ２に対し、導光体２の延在方向に対して直交する方向のいずれにおいも、ほぼ中央位置で対向するようになっている。
すなわち、ＬＥＤ４ａの位置は、軌道上で導光体２と光源部４とを当接させた際に、ＬＥＤ４ａからの光が導光体２の端面２ｔ２から内部に入射する位置に設定されている
【００２８】
図７に示された、導光体２における端面２ｔ２の両脇の端面２ｔ３，２ｔ４は、ベース部４ｂの本体部４ｂｈにおけるＬＥＤ４ａの両脇の面である面４ｂｈ１，４ｂｈ２にそれぞれ当接する。
【００２９】
ＬＥＤ４ａは、傾向として、出力が高い程、すなわち高輝度であるほど、出光角が広くなる。すなわち、広指向性となる。
この特性に対応して、本実施例では、導光体２に凹部２ｃを設け、その凹部２ｃで形成された空間内にＬＥＤ４ａを位置させている。
これにより、ＬＥＤ４ａから広い角度範囲で放出した光を、遍く導光体２内に取り込めるようになっている。
【００３０】
＜カバー５について＞
図１，図４，図１０などに示されるカバー５は、スリット１ａ１に嵌り込む形状でアルミニウムや樹脂で形成され、光源部４を覆うようにベース４ｂに貼り付け又は接着により取り付けられている。カバー５は、導光体２を挟んで延出部４ｂｅと対向する鍔部５ａを有している。
このカバー５は、光源部４を覆って外観品位を向上させることと、ＬＥＤ４ａ又は導光体２のＬＥＤ４ａ近傍から図４の上方に放出された光が外部へ出射されて他の発光部位に対する著しい輝点として視認されないように遮光することを目的として設けられている。この遮光は、鍔部５ａによって行われる。カバー５は、樹脂又は金属によって形成され光不透過性を有して形成されている。鍔部５ａの内側の面５ａ１は、光反射性を有するように表面処理等が施されている。
すなわち、カバー５は、スリット１ａ１にほぼ隙間なく収まり、鍔部５ａにより導光体２の表面２ａにおける端面２ｔ２側の所定範囲を覆うようになっている。
これにより、ＬＥＤ４ａから導光体２内にその延在方向に対して直交方向に近い大きな角度で入射した光が台座部１ｂで反射して表面２ａから外部に放出され、局所的に過剰な高輝度部位として視認されることを防いでいる。
また、鍔部５ａの内側の面５ａ１は、表面２ａから外部に放出された光を反射して再度導光体２内に導入させる反射壁となっている。
【００３１】
＜ストッパ３について＞
図１１に示されるように、ストッパ３は、横断面形状が略Ｔ字状とされたベース部３ｂと、ベース部３ｂにおける図１１の上方面に突出すると共にさらに長手方向に延出する舌片部３ｃを有する凸部３ｄと、を有して形成されている。ベース部３ｂには、貫通する雌ねじ部３ｅが形成されている。
ストッパ３は、ベース部３ｂが係合部１ａに係合し、雌ねじ部３ｅに螺合させた固定ねじＮＪ２によって、光源部４と同様に係合部２の任意の位置で固定することができるようになっている。ストッパ３は、係合部１ａに係合した状態で凸部３ｄがスリット１ａ１に嵌り込むようになっている。
ストッパ３は、導光体２の軌道上での移動を規制する移動規制手段である。また、導光体２を軌道上の所望の位置で固定する固定手段でもある。
その際、導光体２の端面２ｔ１と当接面３ｔとを当接又は近接対向させる。
【００３２】
ストッパ３の材質は限定されないが、アルミニウム等の反射率の高い材料で形成した場合、導光体２の端面２ｔ１に設ける反射部材２ｂは省略してもよい。
仮に光が導光体２内から端面２ｔ１を通過して外部に出光しても、ストッパ３の当接面３ｔで反射して再び導光体２の内部に導入される。すなわち、ストッパ３は、当接面３ｔを有する反射壁を備えている。
【００３３】
＜給電機構ＫＤについて＞
図１２は、給電機構ＫＤにおける給電部８を示している。
給電部８は、樹脂又は金属により薄いプレート状に形成されたベース部８ｂと、ベース部８ｂの一面にベース部８ｂに対し絶縁状態で互いに電気的に独立して形成された端子部８ｔａ,８ｔｂと、端子部８ｔｂ,８ｔｂそれぞれに接続されたコード８ｃと、を有して構成されている。
ベース部８ｂは、中心線上において、複数の雌ねじ部８ｄが形成されている。
端子部８ｔａ，８ｔｂは、銅の薄板から形成されており、その一部が切り起こしにより可撓性を有する接触子８ｓａ,８ｓｂとされている。
【００３４】
図３，図５（ｃ）に示されるように、給電部８は、保持部１における、内部空間Ｖの取り付け面部１ｂ１側に取り付けられている。
給電部８は、ワッシャ９ａとボルト９ｂにより、保持部１に対し長孔１ｂ４を介して締め付け固定されている。
保持部１には長孔１ｂ４が複数設けられ、ベース部８ｂには雌ねじ部８ｄが複数設けられているので、ボルト９ｂをどの長孔１ｂ４のどの位置に通すかの選択と、ボルト９ｂを螺合可能な複数の雌ねじ８ｄの内のどれにするか、の選択との組み合わせにより、給電部８は、保持部１の長手方向における任意の位置に固定できるようになっている。
一端側が端子部８ｔａ,８ｔｂに接続されたコード８ｃは、長孔１ｂ４を通して外部へ引き出され、他端側が外部の電源に接続される。コード８ｃの引き出し方法は限定されないが、例えば、図３，図５（ｃ）に示されるように、保持部１の凹部１ｂ３内に通して保持部１の側方側へ引き出すようにすることができる。
【００３５】
給電部８の接触子８ｓａ，８ｓｂは、導光体２に設けられた導電部７ａ，７ｂに対し、それぞれ付勢しつつ接触する。また、上述のように、導電部７ａ,７ｂには、光源部４の接触子４ｓａ,４ｓｂがそれぞれ接触する。
従って、発光装置５１は、コード８ｃを介して外部から端子部８ｔａ,８ｔｂに所定の電圧が印加されると、接触子８ｓａ，８ｓｂ、導電部７ａ，７ｂ，接触子４ｓａ,４ｓｂを通じて光源部４に電力が供給され、ＬＥＤ４ａが発光する。
【００３６】
すなわち、実施例１の発光装置５１は、導光体２に、その長手方向に延在する導電部７ａ，７ｂを設け、導電部７ａ，７ｂと、導電部７ａ，７ｂそれぞれに摺接して電気的接続が得られる接触子４ｓａ，４ｓｂ及び８ｓａ,８ｓｂと、を介して外部からの印加電圧を光源部４に供給する構造を有している。
この構造により、発光装置５１は、電源供給のためのコードが光源部４から引き出されることなく、導光体２を保持部１のどの位置に固定しても、光源部４に対して電圧供給を行い発光させることができる。
【００３７】
実施例１の光源装置５１において、導光体２とストッパ３と光源部４との合計長さよりも係合部１ａの長さが長くなっている。これと上述した給電構造とにより、導光体２を移動して移動可能な範囲内における任意の位置で発光させることができる。
以下、説明容易のため、導光体２に対してストッパ３及び光源部４を当接させた３者一体のものを、便宜的に発光体ＨＴと称する。
【００３８】
図１３（ａ）〜（ｃ）は、保持部１における導光体２の位置を変えた場合の発光状態を説明する模式図である。
各図において、ハッチングを付した範囲が非発光範囲であり、ハッチングを付していない白抜きの範囲が発光範囲である。
図１３（ａ）は、保持部１の最も左側に発光体ＨＴを位置させた状態であり、図１３（ｂ）は、保持部１の中央付近に発光体ＨＴを位置させた状態であり、図１３（ｃ）は、保持部１の最も右側に発光体ＨＴを位置させた状態を示している。
【００３９】
このように、発光装置５１は、光源部４から引き出されるコードがないので、導光体２を発光位置の設定のため保持部１内を長手方向に移動させる際の位置決め作業が容易である。また、発光装置５１の設置に関し、コードの引き回しや固定に配慮が不要なので、設置作業は容易であり設置後の外観は高品位で良好なものとなる。
【００４０】
＜変形例１−１＞
導電部７ａ，７ｂは、導光体２に設けられていれば、その場所は上述の裏面２ｒに限定されない。
例えば、図１４，図１５に示される変形例１−１であってもよい。
変形例１−１は、導電部７ａ，７ｂが導光体２の両側面２ｓ，２ｓにそれぞれ設けられているものである。図１４は、図５（ｃ）に対応する図であり、図１５は、変形例１−１の導光体２及び光源部４の一部斜視図である。
図１４に示されるように、保持部１における係合部１ａの両内側面１ａｓに、導電部７ａ，７ｂにそれぞれ接触する接触子８ｓａ，８ｓｂを有する端子部８ｔａ，８ｔｂが、実施例１と同様の取り付け構造で取り付けられている。
図１５に示されるように、光源部４におけるベース部４は、導光体２の両側面に対応して延出した延出部４ｂｅ１，４ｂｅ２を有しており、各延出部４ｂｅ１，４ｂｅ２には、導電部７ａ,７ｂにそれぞれ接触する接触子４ｓａ，４ｓｂを有する端子部４ｔａ，４ｔｂが設けられている。端子部４ｔａ，４ｔｂは、ＬＥＤ４ａと電子部品４ｅと共にフレキシブルな発光基板４ｃに搭載され、実施例１と同様に電気的に接続されている。
【００４１】
この変形例１−１の構造と実施例１の構造との主な違いは、端子部８ｔａ，８ｔｓ及び端子部４ｔａ,４ｔｂが隣接配置されてなく導光体２の両側面に対応した位置に離れて配置されているという配置位置にある。従って、変形例１−１は実施例１と同様の効果が得られる。
【００４２】
＜実施例２＞
次に、本発明の発光装置の実施例２として発光装置５１Ａを説明する。
発光装置５１Ａは、実施例１の発光装置５１において導光体２に設けていた導電部７ａ，７ｂを、保持部１に相当する保持部１Ａに設けたものである。
発光装置５１Ａについて、図１６〜図１９を参照して説明する。
図１６は、図１に対応する図であり、保持部１Ａ及びカバー５Ａは一部を破断してある。図１７は、発光装置５１Ａの保持部１Ａの一端側を導光部２及び光源部４Ａと共に説明するための斜視図である。保持部１Ａは一部を破断してある。
図１８は、図１６におけるＳ１６−Ｓ１６において導光部２は省略した断面図である。光源部４Ａは、発光装置５１における光源部４に相当する。
発光装置５１Ａは、長尺であるため、図１６においては中央部を破断し、一方の端部側を上段に、他方の端部側を下段に配置して示している。
【００４３】
発光装置５１Ａは、断面形状において略Ｃ字状の係合部１Ａａ及び係合部１Ａａに連結しこの発光装置５１Ａを対象物へ取り付けるための台座部１Ａｂを有するレール状の保持部１Ａと、光透過性を有する細長の板状であって係合部１Ａａ内に係合して係合部１Ａａの延在方向（図１６の左右方向）に移動可能な導光体２と、係合部１Ａａ内における導光体２の一方側（図１の左方側）に係合して係合部１Ａａの延在方向に移動可能なストッパ３と、光源４Ａａを有し係合部１Ａａ内における導光体２の他方側（図１の右方側）に係合して係合部１Ａａの延在方向に移動可能な光源部４Ａと、を有して構成されている。
導光体２は、光源部４Ａからの光を自身の形状に沿うように導く導光部であり、さらにその導いた光を外部に出光する出光機能も有する。
【００４４】
ストッパ３と光源部４Ａとは、係合部１Ａａの任意の位置でそれぞれ固定ねじＮＪ２，ＮＪ１により固定できるようになっている。
また、導光体２は、内部を進行する光の一部を反射して外表面から外部に出射させる複数の切り込み部２ｋ１〜２ｋｎ（ｎ：１以上の整数）を有している。
この構成により、導光体２を係合部１Ａａの延在方向における所望の位置に移動させ、その位置で一方端側への移動をストッパ３で規制し、他方端側への移動を光源部４Ａで規制した状態で、光源部４Ａの光源４Ａａからの光を導光体２の端面２ｔ２から内部に導入して導光体２の外表面から外部に出射させることができるようになっている。
ストッパ３及びカバー５は、実施例１と同様の構造及び機能を有している。
【００４５】
光源部４Ａは、例えば樹脂やアルミニウムの押出材で形成されている。
係合部１Ａａは、袋状ではなく、開口部としてスリット１Ａａ１が形成されている。スリット１Ａａ１は、長手方向に沿って同じ幅ＷＡ１で形成されている。
この幅は必ずしも同じ幅でなくてもよく、用途に応じ長手方向において部分的に拡大又は縮小させてもよい。
係合部１Ａａの内側面１Ａａｓは、導光体２の側面２ｓから外部に出射した光を反射して再度導光体２内に導入させるため、良好に反射する反射面とされていることが望ましい。この場合、係合部１ａは、導光体２の側面２ｓに対向する反射面を有する反射壁を有する。
また、その内面は光沢面でもよく、反射が拡散して行われるように梨地面とされていてもよい。
【００４６】
保持部１Ａを樹脂材で形成した場合は、係合部１Ａａの内面を二次加工無しで良好な反射面にすることは難しい。その場合、その内面に対し、良好な反射が行えるよう反射膜を形成してもよく、反射シート等の別部材を貼付などで取り付けてもよい。
一対の内側面１Ａａｓには、それぞれ、長手方向に延在する導電部７Ａａ，７Ａｂが設けられている。導電部７Ａａ，７Ａｂは、例えば、銅などの導電金属材の薄板片である。導電部７Ａａ，７Ａｂは、内側面１Ａａｓ上に貼付又は接着により取り付けられている。この取り付け方法は限定されない。
保持部１Ａの一方の端部において、導電部７Ａａ，７Ａｂにはそれぞれコードやコネクタ（図示せず）に所定の電圧を印加することができるようになっている。
導電部７Ａａ，７Ａｂは、内側面１Ａａｓから突出していなくてもよい。例えば、内側面１Ａａｓに凹みを設け、その凹みに嵌め込んで内側面１Ａａｓから突出させないように設けてもよい。
導電部７Ａａ，７Ａｂは、保持部１Ａに対して後づけ固定するものに限らない。保持部１Ａを射出成形で形成する場合には、いわゆるインサート成形により一体的に形成してもよい。
導電部７Ａａ，７Ａｂは、内側面１Ａａｓに導電塗料を塗布することで形成してもよい。
【００４７】
台座部１Ａｂは、取り付け対象物に当接させるための取り付け面部１Ａｂ１を有する。取り付け面部１Ａｂ１には、保持部１を対象物に固定するための雄ねじを通す図示しない取り付け孔１ｂ２が、複数箇所形成されている。
【００４８】
光源部４Ａは、ベース部４Ａｂと、ベース部４Ａｂに取り付けられた発光基板４Ａｃと、を有して構成されている。発光基板４Ａｃは所謂フレキシブル基板である。
ベース部４Ａｂは、概ね直方体を呈し、例えば樹脂やアルミニウムにより形成されている。ベース部４Ａｂは、保持部１Ａの係合部１Ａａに係合してその延在方向に移動可能とされている。ベース部４Ａｂには、雌ねじを有する貫通孔４Ａｆａが形成されている。
発光基板４Ａｃは、ベース部４Ａｂの一端面とこの一端面に連接する三つの側面（上面及び両側面）とに跨って取り付けられている。
発光基板４Ａｃにおけるベース部４Ａｂの上面となる位置には、例えば抵抗などの電子部品４Ａｅが配置されている。また、ベース部４Ａｂの端面となる位置には光源４Ａａが配置されている。また、両側面となる位置には、それぞれ、銅の薄板からなる端子部４Ａｔａ，４Ａｔｂが設けられている。光源４Ａａは、例えばＬＥＤである。以下、光源４ＡａをＬＥＤ４Ａａとも称する。
端子部４Ａｔａと端子部４Ａｔｂとは、それぞれ銅の薄板から切り起こされた可撓性を有する接触子４Ａｓａ，４Ａｓｂを備え、互いに電気的に独立して設けられている。発光基板４Ａｃ上で、端子部４Ａｔａ，４ＡｔｂとＬＥＤ４Ａａと電子部品４Ａｅとは所定の配線パターンにより電気的に接続されている。
【００４９】
光源部４Ａは、接触子４Ａｓａと接触子４Ａｓｂとの間に所定の電圧が印加されると、ＬＥＤ４Ａａが発光するようになっている。
光源部４Ａ及び導光体２が保持部１Ａに係合した状態で、接触子４Ａｓａ,４Ａｓｂは、導電部７Ａａ,７Ａｂに対し付勢しつつ接触可能となっている。
従って、接触子４Ａｓａ,４Ａｓｂが導電部７Ａａ,７Ａｂに接触した状態で導電部７Ａａ，７Ａｂ間に所定の電圧を印加することにより、ＬＥＤ４Ａａを発光させることができる。
ベース４Ａｂの材料は限定されないが、ＬＥＤ４Ａａが発生する熱を良好に伝導して表面積の大きい保持部１Ａへ逃がせるように、アルミニウムを代表とする熱伝導率の高い材料で形成されていることが好ましい。
【００５０】
実施例２の発光装置５１Ａは、保持部１Ａに、その長手方向に延在する導電部７Ａａ，７Ａｂを設け、導電部７Ａａ，７Ａｂそれぞれに摺接して電気的接続が得られる接触子４Ａｓａ，４Ａｓｂを通じて外部からの印加電圧を光源部４Ａに供給する構造を有している。
この構造により、発光装置５１Ａは、電源供給のためのコードが光源部４Ａから引き出されることなく、保持部１Ａのどの位置に導光体２を固定しても、光源部４Ａに対して電圧供給を行うことができる。
【００５１】
このように、発光装置５１Ａは、光源部４Ａから引き出されるコードがないので、導光体２を発光位置の設定のため保持部１Ａ内を長手方向に移動させる際の位置決め作業が容易である。また、発光装置５１Ａの設置に関し、コードの引き回しや固定に配慮が不要なので、設置作業は容易であり設置後の外観は高品位で良好なものとなる。
【００５２】
＜変形例２−１＞
導電部７Ａａ，７Ａｂは、保持部１Ａに設けられていれば、その場所は上述の内側面１Ａａｓに限定されない。
例えば、図１９に示される変形例２−１であってもよい。図１９は、実施例２の図１８に対応する図である。
変形例２−１は、導電部７Ａａ，７Ａｂが保持部１Ａの台座部１Ａｂの内底面１Ａｂ１に設けられているものである。保持部１Ａの一方の端部において、導電部７Ａａ，７Ａｂにはそれぞれコードやコネクタ（図示せず）が接続されている。これらコードやコネクタを介して、導電部７Ａａと導電部７Ａｂに所定の電圧を印加することができるようになっている。
光源基板４Ａｃは、ベース部４Ａｂにおける上面側と端面側に加え底面４Ａｂ１側にも回りこむように設けられている。
光源基板４Ａｃは、ベース部４Ａｂの上面側に電子部品４Ａｅを、端面側(図１９の手前側)にＬＥＤ４Ａａを、底面４Ａｂ１側に端子部４Ａｔａ，４Ａｔｂが取り付けられている。端子部４Ａｔａ，４Ａｔｂは、導電部７Ａａ，７Ａｂにそれぞれ可撓性を有して接触する接触子４Ａｓａ，４Ａｓｂを有している。
ＬＥＤ４Ａａと電子部品４Ａｅと接触子４Ａｓａ，４Ａｓｂは、所定の配線パターンにより電気的に接続されている。
【００５３】
光源部４Ａは、接触子４Ａｓａと接触子４Ａｓｂとの間に所定の電圧が印加されると、ＬＥＤ４Ａａが発光するようになっている。
光源部４Ａ及び導光体２が保持部１Ａに係合した状態で、接触子４Ａｓａ,４Ａｓｂは、導電部７Ａａ,７Ａｂに対し付勢しつつ接触可能となっている。
従って、接触子４Ａｓａ,４Ａｓｂが導電部７Ａａ,７Ａｂに接触した状態で導電部７Ａａ，７Ａｂ間に所定の電圧を印加することにより、ＬＥＤ４Ａａを発光させることができる。
この変形例２−１の構造と実施例２の構造との主な違いは、端子部４Ａｔａ，４Ａｔｓ及び端子部４Ａｔａ,４Ａｔｂが、保持部１Ａの内側面１Ａｓａに配置されてなく、台座部１Ａｂの内底面１Ａｂ１に隣接して配置されているという配置位置にある。従って、変形例２−１は実施例２と同様の効果が得られる。
【００５４】
実施例１，２及び変形例１−１，２−１の発光装置５１，５１Ａは、次に示す変形例Ａ〜Ｄとしてもよい。以下、実施例２に対応する符号は（  ）付で記載する。
【００５５】
＜変形例Ａ＞
係合部１ａ（１Ａａ）の一端をゴムなどのキャップにより塞ぎ、コード４ｄ（８ｃ）が延出する側をグロメットで塞ぎ、スリット１ａ１（１Ａａ１）（実施例２ではさらに凹部１ｂ３を含む）を塞ぐように保持部１（１Ａ）の表面に透明のフィルムを貼付することで、保持部１（１Ａ）内に外部から雨や水などの液体が浸入することを防止できる。すなわち、防滴性や防水性が向上する。
従って、発光装置５１（５１Ａ）を、屋外や水がかかる可能性の高い所に設置して使用することが可能となる。
また、係合部１ａ（１Ａａ）の内部等へ外部からゴミは埃が侵入することを有効に防止できるので、防塵性が向上する。
従って、発光装置５１（５１Ａ）を、埃の多い場所や粉塵が発生する場所などで使用することができる。
【００５６】
更なる変形例として、導光体２と光源部４（４Ａ）との突き合わせ部分を含む所定範囲を、熱収縮チューブで覆うことにより、外部から水等の液体が発光基板４ｃ（４Ａｃ）へ浸入することを防止できる。導光体２及び光源部４（４Ａ）と係合部１ａ（１Ａａ）との係合を遊嵌状態に設定し、熱収縮チューブをかぶせた状態で良好な移動感触が得られるように寸法設定をしておくとよい。
この場合においても、防滴性や防水性が向上するので、発光装置５１（５１Ａ）を、屋外や水などの液体がかかる可能性の高い所に設置して使用することが可能となる。
【００５７】
＜変形例Ｂ＞
保持部１（１Ａ）に複数の発光体ＨＴを係合させてもよい。
図２０（ａ），（ｂ）は、保持部１（１Ａ）に一例として３つの発光体ＨＴ１〜ＨＴ３を係合させた発光装置５２を模式的に示した図である。
各図において、ハッチングを付した範囲が非発光範囲であり、ハッチングを付していない白抜きの範囲が発光範囲である。
図２０（ａ）に示すように、発光体ＨＴ１〜ＨＴ３は、それぞれの係合順が入れ替わらない範囲で、保持部１（１Ａ）上の自由な位置に固定することができる。
各発光体ＨＴ１〜ＨＴ３は互いに離間していなくてもよい。
また、図２０（ｂ）に示すように、互いを連結することで、各発光体の単独では得られない長さの発光部を得ることができる。
【００５８】
＜変形例Ｃ＞
発光基板４ｃがＬＥＤ４ａの発光強度、発光タイミングなど、発光を制御する制御部を備える。発光基板に通信部を備え、外部機器との無線通信により外部の制御部からの指令で発光が制御されるようにしてもよい。
【００５９】
＜変形例Ｄ＞
実施例の発光装置５１（５１Ａ）の軌道は直線に限らない。
保持部１（１Ａ），導光体２，ストッパ３，及び光源部４（４Ａ）のベース部４ｂ（４Ａｂ）を、ある程度の変形可能な材料（ゴム質の含有比率の高い樹脂材）で形成することにより、曲線軌道とすることができる。
曲線は一平面内に設定されるものに限らない。三次元的に湾曲していてもよい。
【００６０】
上述した実施例及び変形例によれば、保持部１（１Ａ）を所定の部材に設置後も、導光体２の位置を軌道上〔係合部１ａ（１Ａ）での移動可能範囲〕の所望の位置に移動させ、その位置で固定することができる。
これにより、長手方向の発光位置の変更が容易であり、把握対象物や照明対象物に対して専用のものを製作しなくても対象物を把握させたり照明することができる。
例えば、部屋の天井隅に保持部１（１Ａ）を取り付けておけば、壁に掛けられた絵画を交換したり、絵画を掛ける位置を変更しても、導光体２の位置を容易に移動できるので、発光装置全体を交換する必要がなく、便利である。
【００６１】
導光体２を別の長さの導光体と交換することにより、把握対象物や照明対象物の長手長さが異なるものへの対応も容易に可能である。
このように、実施例の発光装置５１，５１Ａ，５２は、極めて汎用性に富む。
【００６２】
本発明の各実施例及び各変形例は、上述した構成及び手順に限定されるものではなく、本発明の要旨を逸脱しない範囲においてさらに別の変形例としてもよいのは言うまでもない。
【００６３】
導光体２とストッパ３又は導光体２と光源部４（４Ａ）とは、近接して対向，接触して対向，又は係合手段により互いに係合して対向、のいずれかで構成されている。係合手段による係合対向の具体例としては、導光体２の側面に凹部を形成し、ストッパ３又は光源部４（４Ａ）の側面に導光体２の凹部に係合する突起を有して延出する可撓性腕部を設け、いわゆるスナップフィット係合とする。
【００６４】
実施例１，２では、スリット１ａ１（１Ａａ１）から出光する光の方向が概ね取り付け面部１ｂ１（１Ａｂ１）に対して直交する方向の例を説明したが、これに限るものではない。
スリット１ａ１（１Ａａ１）からの出光方向と取り付け面部１ｂ１（１Ａｂ１）が含まれる平面との角度は限定されない。
例えば、図２１に示す保持部１Ｂのように、出光方向ＤＲ１２と直交する取り付け面を有する取り付け面部１Ｂｂ１と、直交しない（例えば平行）取り付け面を有する取り付け面部１Ｂｂ２とを備え、選択的に出光方向を選択することができるようにしてもよい。
【００６５】
導光体２の両端側にそれぞれ光源部４（４Ａ）を設け、両端面から光を内部に入射させるようにしてもよい。この場合、切り込み部は、縦断面形状が長手方向に対称逆向きの略三角形となるものを併設する。これにより、発光強度を増加させることができる。
【００６６】
光源４ａ（４Ａａ）はＬＥＤに限定されない。例えば、外部光源からの光を光ファイバで導光し、導光部の端面から内部に入光するように構成してもよい。すなわち、上述した光源４ａ（４Ａａ）の位置に光ファイバの出光口が位置するように配置すればよい。
【００６７】
導光体２の軌道上の移動を規制する手段は限定されない。
導光体２又はストッパ３若しくは光源部４（４Ａ）を樹脂材で形成すると共に保持部に対して付勢して摩擦力を発生させる可撓性の樹脂腕部を形成し、自然落下せず、かつ、所定の力以上の力を付与しないと摺動しないように付勢力等が設定された規制手段としてもよい。
【００６８】
各実施例及び各変形例において、導電部７ａ，７ｂ（７Ａａ，７Ａｂ）は、高効率の光反射性を有すると、より好ましい。これにより、導電部７ａ，７ｂ（７Ａａ，７Ａｂ）が導光体２に設けられている場合は、導光体２から外部への出光を効果的に防止し、保持体１（１Ａ）の内面に設けられている場合は、高効率で光を反射して再度導光体２へ入光させることができる。
【００６９】
係合部１ａ（１Ａａ）における係合のための形状は断面Ｃ字状に限定されない。所定の軌道上を少なくとも導光体２と光源部４（４Ａ）とが移動可能なよう係合するものであればよい。
【００７０】
保持部１（１Ａ）において、台座部１ｂ（１Ａｂ）は必ずしも必要ではない。台座部１ｂ（１Ａｂ）を有していない場合は、例えば、保持部１（１Ａ）の外面に、この発光装置５１（５１Ａ）を取り付ける相手部材と当接する当接面を設けてもよい。
【００７１】
導電部７ａ，７ｂ（７Ａａ，７Ａｂ）は、導光体２又は保持部１（１Ａ）の長手方向の全範囲に延在しているものに限らない。導光体２又は保持部１（１Ａ）に部分的に設けられていてもよい。また、複数の範囲に分かれて設けられていてもよい。
【００７２】
以上詳述した各実施例及び各変形例は、互いに自由に組み合わせてよい。
【符号の説明】
【００７３】
１，１Ａ，１Ｂ  保持部
１ａ，１Ａａ  係合部、１ａ１，１Ａａ１  （開口部）スリット
１ａｓ  内側面、１Ａａｓ  内側面、１Ａｂ１  内底面、１ｂ，１Ａｂ  台座部
１ｂ１  取り付け面部、１ｂ２  取り付け孔
１ｂ３  凹部、１ｂ４  長孔
２  導光体（導光部）
２ａ  表面、２ｂ  反射部材、２ｃ  凹部、２ｒ  裏面
２ｋ１〜２ｋｎ  切り込み部、２ｋｓ  斜面
２ｓ  側面、２ｔ１  （一方の）端面、２ｔ２  （他方の）端面
３  ストッパ
３ｂ  ベース部、３ｃ  舌片部、３ｄ  凸部、３ｅ  雌ねじ部、３ｔ  当接面
４，４Ａ  光源部
４ａ，４Ａａ  （光源）ＬＥＤ、４ｂ，４Ａｂ  ベース部
４ｂｈ  本体部、４ｂｈ１,４ｂｈ２  （両脇の）面
４ｂｅ，４ｂｅ１，４ｂｅ２  延出部、４ｃ，４Ａｃ  発光基板
４ｆ  ねじプレート、４ｆａ  雌ねじ、４ｅ  電子部品
４ｓａ，４ｓｂ，４Ａｓａ，４Ａｓｂ  接触子
４ｔａ，４ｔｂ，４Ａｔａ，４Ａｔｂ  端子部、４Ａｆａ  貫通孔
５，５Ａ  カバー、５ａ  鍔部、５ａ１  （内側の）面
７ａ，７ｂ，７Ａａ，７Ａｂ  導電部
８  給電部、８ｂ  ベース部、８ｃコード、８ｄ  雌ねじ部
８ｓａ，８ｓｂ  接触子、８ｔａ，８ｔｂ  端子部
９ａ  ワッシャ、９ｂ  ボルト
５１，５１Ａ，５２  発光装置
ＡＲ１  （黒塗装の）範囲、ＨＴ  発光体、ＫＤ  給電機構、ＬＴ１，ＬＴ２  光
ＮＪ１，ＮＪ２  固定ねじ
Ｖ  内部空間、Ｗ１，ＷＡ１  幅
【図１】
0005328860.tif 000002
【図２】
0005328860.tif 000003
【図３】
0005328860.tif 000004
【図４】
0005328860.tif 000005
【図５】
0005328860.tif 000006
【図６】
0005328860.tif 000007
【図７】
0005328860.tif 000008
【図８】
0005328860.tif 000009
【図９】
0005328860.tif 000010
【図１０】
0005328860.tif 000011
【図１１】
0005328860.tif 000012
【図１２】
0005328860.tif 000013
【図１３】
0005328860.tif 000014
【図１４】
0005328860.tif 000015
【図１５】
0005328860.tif 000016
【図１６】
0005328860.tif 000017
【図１７】
0005328860.tif 000018
【図１８】
0005328860.tif 000019
【図１９】
0005328860.tif 000020
【図２０】
0005328860.tif 000021
【図２１】
0005328860.tif 000022